(57)【要約】【課題】  習熟程度に応じて調整可能なパター練習器。【解決手段】パター練習器は、湾曲上表面を備える二つのレール１０とこれを延長して着脱可能に結合するブロック２０及びシート３０からなり、スウィング練習する時、湾曲移動経路が前記ゴルフクラブヘッドのガイド面として対応する。リンク４０は前記レール両端を結合して前記レール間のギャップを調整する。  各レールは、その上に形成された湾曲上表面を備えるインナーバー１１、２２、３２と、インナーバーより高い外部突出部１４、２５、３５とを備え、インナーバーと外部突出部間に段部を形成する。各レールの外部突出部は、メモリを備えた湾曲上部表面を有し、ユーザーのパター練習に際して該メモリで確認することができる。  【選択図】図１
0003102818.tif 000002
【実用新案登録請求の範囲】
【請求項１】
パター練習器であって、
湾曲上表面を備える二つのレールと該レールを結合するリンクからなり
該リンクは、該レール間のギャップを調整可能に固定し、該湾曲上表面は、ゴルフクラブヘッドのスウィングする時の湾曲移動経路に対応することによって、ユーザーのパター練習を導くようにしてなることを特徴とするパター練習器。
【請求項２】
前記各レールは、前記湾曲上表面上に表示された目盛りを備えることを特徴とする請求項１に記載のパター練習器。
【請求項３】
前記各レールは、前記湾曲上表面を備えるインナーバーと、その外側に形成された、前記インナーバーより高く、前記インナーバーとの間に段部を形成した外部突出部と、を備えることを特徴とする請求項１に記載のパター練習器。
【請求項４】
前記各レールの前記外部突出部は、前記湾曲上部表面を備えることを特徴とする請求項３に記載のパター練習器。
【請求項５】
前記各外部突出部は、前記湾曲上部表面上に表示された目盛りを備えることを特徴とする請求項４に記載のパター練習器。
【請求項６】
前記各レールは、その端部に複数の凹部を備え、前記リンクは、その上に形成された少なくとも二つの歯を備え、前記レールの前記凹部に噛合わされて前記レールを互いに調整可能に固定し、前記レール間に形成された前記ギャップを調整可能としたことを特徴とする請求項１に記載のパター練習器。
【請求項７】
前記レールは、それらの間を結合する前記リンクを備える第一端と第二端とを備え、第二のリンクが前記レールの前記第二端間を結合してなることを特徴とする請求項１に記載のパター練習器。
【請求項８】
前記リンクは、その中央に形成された挿入孔と、前記リンクの前記挿入孔中に着脱可能に挿入されるピンと、を備えることを特徴とする請求項１に記載のパター練習器。
【請求項９】
更に、ゴルフボールを受け入れるホールを備える標的素子を備えることを特徴とする請求項１に記載のパター練習器。
【請求項１０】
前記標的素子は、その上にランプを備え、前記レールに向けて方向付けることを特徴とする請求項９に記載のパター練習器。
【請求項１１】
前記標的素子は、その上に取り付けられたフラグを備えることを特徴とする請求項９に記載のパター練習器。
【請求項１２】
前記リンクは、その上に取り付けられたピンを備えることを特徴とする請求項１１に記載のパター練習器。
【請求項１３】
更に、前記フラグと前記ピンとの間を着脱可能に結合するケーブルを備えることを特徴とする請求項１２に記載のパター練習器。
【請求項１４】
更に、前記レールにそれぞれ固定された二つのブロックを含むことを特徴とする請求項１に記載のパター練習器。
【請求項１５】
前記各ブロックは、その上に形成された湾曲上表面を備えるインナーバーと、その外側に設けられた前記インナーバーより高い外部突出部と、を備え、前記インナーバーと前記外部突出部間に段部を形成し、前記外部突出部のそれぞれに湾曲上表面を備えることを特徴とする請求項１４に記載のパター練習器。
【請求項１６】
前記インナーバーと前記外部突出部は、複数の凹部を備え、前記リンクは、少なくとも二つの歯を備えて前記レールの前記凹部に結合することによって前記ブロックを調整可能に固定し、前記ブロック間に形成された前記ギャップを調節することを特徴とする請求項１５に記載のパター練習器。
【請求項１７】
更に、前記レールにそれぞれ固定された二つのシートを備えることを特徴とする請求項１に記載のパター練習器。
【請求項１８】
前記各シートは、その上に形成された湾曲上表面を備えるインナーバーと、その外側に形成された前記インナーバーより高い外部突出部と、を備え、前記インナーバーと前記外部突出部間に段部を形成し、前記外部突出部のそれぞれに、湾曲上表面を備えることを特徴とする請求項１７に記載のパター練習器。
【請求項１９】
前記インナーバーと前記外部突出部は、複数の凹部を備え、前記リンクは、少なくとも二つの歯を備えて前記レールの前記凹部に結合することによって前記ブロックを調整可能に固定し、前記ブロック間に形成された前記ギャップを調節することを特徴とする請求項１７に記載のパター練習器。
【考案の詳細な説明】
【技術分野】
【０００１】
本考案は、パター練習器に関するものであって、特に、様々な操作状況を変更する調整可能構造を備えるパター練習器（putting instructor）に関するものである。
【背景技術】
【０００２】
今までに、多様なパター練習器が開発され、ゴルフゲームを練習するための、ホールを備える平面マットがある。
しかし、公知のパター練習器は、ユーザーのパッティング練習や操作を訓練したり、指導したりするのに用いられない。
本考案は、これらの公知のパター練習器の欠点を、改善するものである。
【特許文献１】特願2000-391641
【考案の開示】
【考案が解決しようとする課題】
【０００３】
本考案は、様々な操作状況を変更する調整可能構造を備えるパター練習器を表示することを目的とする。
【課題を解決するための手段】
【０００４】
本考案によると、パター練習器は、湾曲上表面を備える二つのレールからなり、ゴルフクラブヘッドが前記レールに対してスウィングする時、前記ゴルフクラブヘッドの湾曲移動経路に対応し、リンクは前記レールに結合し、前記レール間に形成されたギャップを維持する。レールの湾曲上表面が表示されて、ユーザーのパター練習を導く。
各レールは、湾曲上表面上に表示された目盛りを備える。各レールは、その上に形成された湾曲上表面を備えるインナーバーと、上方向に延伸し、インナーバーより高い外部突出部とを備え、インナーバーと外部突出部間に段部を形成する。
各レールの前記外部突出部は、湾曲上部表面を備える。各外部突出部は、湾曲上部表面上に表示された目盛りを備える。
【０００５】
各レールは、その中に複数の凹部を備え、リンクは、その上に表示された少なくとも二つの歯を備え、レールの凹部に結合され、レールを互いに調整可能に固定し、レール間に形成されたギャップを調整する。レールは、それらの間に結合されたリンクを備える第一端と、第二端と、を備え、第二リンクはレールの第二端間に結合される。リンクは、その中に形成された挿入孔と、リンクの挿入孔中に選択的に挿入されるピンと、を備える。
標的素子が更に表示され、ボールを受け入れるホールを備える。標的素子は、上にランプを備え、レールの方に方向付ける。標的素子はフラグを備える。ケーブルが更に設けられれ、フラグとピン間を選択的に結合する。
二つのブロックが配置され、レールにそれぞれ固定される。各ブロックは、その上に形成された湾曲上表面を備えるインナーバーと、そこから延伸し、前記インナーバーより高い外部突出部と、を備え、前記インナーバーと前記外部突出部間に段部を形成し、前記外部突出部のそれぞれに、湾曲上表面を備える。
【０００６】
インナーバーと外部突出部は複数の凹部を備え、リンクは、少なくとも二つの歯を備え、レールの凹部に結合し、ブロックを調整可能に固定し、ブロック間に形成されたギャップを調節する。
更に、二つのシートが表示され、レール１０に固定される。各シートは、その上に形成された湾曲上表面を備えるインナーバーと、そこから延伸し、インナーバーより高い外部突出部とを備え、インナーバーと外部突出部間に段部を形成し、外部突出部のそれぞれに、湾曲上表面を備える。
インナーバーと外部突出部は複数の凹部を備え、リンクは、少なくとも二つの歯を備え、レールの凹部に結合し、シートを調整可能に固定し、シート間に形成されたギャップを調節する。
【考案の効果】
【０００７】
習熟レベルに応じた様々な操作状況を変更する調整可能な構造を備えることが出来る。
【考案を実施するための最良の形態】
【０００８】
図１〜図４を参照して説明する。本発明によるパター練習器は、好ましくは、平行に配置された二つのレール１０からなる。各レール１０は、その上に形成された湾曲上表面１２を備えるインナーバー１１と、湾曲上表面１２上に表示された目盛り１３と、からなる。
各レール１０は、更に、外部から上方向に延伸した外部突出部１４を備え、湾曲上表面１５、及び湾曲上表面１５上に表示された目盛り１６も備えている。外部突出部１４は、インナーバー１１より高く、外部突出部１４とインナーバー１１間に段部１９を形成する。各レール１０は、両端面に一つ、或いはそれ以上の嵌合孔１７を形成する。
更に、二つのブロック２０が表示され、好ましくは、平行に配置される。各ブロック２０は、一つ、或いはそれ以上の突起部２１を備え、レール１０の対応する嵌合孔１７に結合され、プレス嵌めエンゲージメント、ラッチエンゲージメント、締め金具（図示しない）などの方法により、ブロック２０をレール１０に固定する。
【０００９】
更に、各ブロック２０は、上方に湾曲した湾曲上表面２３を備え、かつその湾曲上表面２３上に目盛り２４を表示したインナーバー２２と、その外側に形成され、湾曲上表面２６を備えると共にその湾曲上表面２６上に目盛り２７を表示してなる外部突出部２５と、からなる。
外部突出部２５は、インナーバー２２より高く、外部突出部２５とインナーバー２２間に段部２９を形成する。各ブロック２０は、上部に形成された幾つかの歯、或いは凹部２８を備える一端を有する。
リンク４０は、両端から適宜の位置に形成された、一つ、或いはそれ以上の凹部、或いは歯４１、４２を備え、ブロック２０の歯、或いは凹部２８に噛合わされてブロック２０同士の間隔を相互に調節可能に固定する。ブロック２０間の距離、或いはギャップ９０は、このようにして、凹部、或いは歯４１、４２をブロック２０の対応する歯、或いは凹部２８に結合することにより、図５に示されるように、異なる幅に調整することができる。
更に、二つのシート３０が設けられ、好ましくは、平行に配置される。シート３０は、一つ、或いはそれ以上の突起部３１を備え、レール１０の対応する嵌合孔１７に結合され、プレス嵌めエンゲージメント、ラッチエンゲージメント、締め金具（図示しない）などの方法により、シート３０をレール１０に固定する。
【００１０】
更に、各シート３０は、その上に形成された湾曲上表面３３を備えるインナーバー３２と、湾曲上表面３３上に表示された目盛り３４と、その外側に接して設けられ、湾曲上表面３６を備える外部突出部３５と、湾曲上表面３６上に表示された目盛り３７と、からなる。
外部突出部３５は、インナーバー３２より高く、外部突出部３５とインナーバー３２間に段部３９を形成する。各シート３０は、上部に形成された幾つかの歯、或いは凹部３８を備える一端を有する。
シート３０に対するリンク４０は、両端から適宜の位置に形成された、一つ、或いはそれ以上の凹部、或いは歯４１、４２を備え、シート３０の歯、或いは凹部３８に噛合わされてシート３０同士の間隔を互いに調節可能に固定する。シート３０間の距離、或いはギャップ９０は、このようにして、凹部、或いは歯４１、４２を、シート３０の対応する歯、或いは凹部３８に噛合わせて結合することにより、異なる幅に調整することができる。
各リンク４０は、ピン４５を挿入する、例えば、中央部に形成される、挿入孔４３を備える（図４）。更に、例えば、図７で示されるように、糸、或いはケーブル４７が張られてピン４５間を結合し、レール１０及び、及び／又はブロック２０、及び、及び／又はシート３０の中央、或いは、レール１０及び、及び／又はブロック２０、及び、及び／又はシート３０間に形成されたギャップ９０の中央位置を示す。
図１及び図６で示されるように、更に、標的素子５０が配置され、レール１０及び、及び／又はブロック２０、及び、及び／又はシート３０から離れて配置されて、ホール５１と、ホール５１の前に形成されたランプ５２とを配置して、レール１０及び、及び／又はブロック２０、及び、及び／又はシート３０を方向付け、更に、フラグ５３を備え、標的素子５０のホール５１を示す。
操作する際に、図６及び図８で示されるように、標的素子５０は、レール１０及び、及び／又はブロック２０、及び、及び／又はシート３０から、適当な距離を隔てて配置され、ケーブル４７がフラグ５３とシート３０の頂部に配置されたリンク４０のピン４５間を結合する。ゴルフクラブヘッド７０は、ケーブル４７とレール１０のインナーバー１１との間に配置され、レール１０のインナーバー１１の湾曲表面１２上に配置される。
【００１１】
ユーザーは、ゴルフクラブヘッド７０のインパクト面７１を、ゴルフボール７３に向かわせ、インパクト面７１のインパクト面７１の末端７４、７５を、インナーバー１１の目盛り１３、或いは、外部突出部１４の目盛り１６と揃えて、パッティング操作の訓練や練習、或いは、適切なパッティング姿勢、又はジェスチャーを調整する。標的素子５０のホール５１はゴルフボール７３を受け入れるのに用いられる。ゴルフクラブヘッド７０は、ケーブル４７を配列するインジケーター、或いはポインター７７を備える。
注意すべきことは、ユーザーがパッティングする時、ゴルフクラブヘッド７０は、曲線の移動経路でスウィング、或いは移動することである。インナーバー１１の湾曲表面１２と外部突出部１４の湾曲表面１５は、好ましくは、ゴルフクラブヘッド７０の湾曲移動経路に対応する、所定の、或いは適切な湾曲を有し、ユーザーが容易に、インパクト面７１の末端７４、７５と、インナーバー１１の目盛り１３、或いは、外部突出部１４の目盛り１６とを揃えるようにする。
練習後、ユーザーは、体験に応じてケーブル４７はその後、フラグ５３とリンク４０のピン４５間を結合するのではなく、図７で示されるように、ピン４５間を結合し、ゴルフボール７３が入るように導く。
図４で示されるように、パットを導くため、ケーブル４７はフラグ５３、或いは、リンク４０のピン４５から外される。更に、図１５で示されるように、レール１０及び、及び／又はブロック２０、及び、及び／又はシート３０は、この段階での欠くことのできない要素として、互いに組み合わされている。
更なる練習後、ユーザーは、更に経験を経てケーブル４７はその後、図８〜図１２で示されるように、ピン４５間を結合し、ブロック２０とシート３０はレール１０から分離され、ユーザーは、パットを導くため、レール１０だけを用いる。
【００１２】
図８〜図１３、特に、図１３で示されるように、各レール１０は、例えば、底部などに形成される、幾つかの歯、或いは凹部１８を備える一端、或いは両端を有する。リンク４０は凹部、或いは、歯４１、４２を、レール１０の対応する歯、或いは凹部１８に結合し、シート３０の間隔を調整可能に固定し、レール１０の間隔、或いはギャップ９０を調節する。
ケーブル４７は、フラグ５３とレール１０の下部に配置されたリンク４０のピン４５間を結合し（図９）、ゴルフボール９３が入るように導く。図１０で示されるように、ケーブル４７は、レール１０の下部に配置されたリンク４０のピン４５間を結合する。
図１１で示されるように、ケーブル４７は、フラグ５３、或いはリンク４０のピン４５から外され、パットを導くため、ピン４５もリンク４０から抜き取られる。
図１４で示されるように、レール１０の突出部１４は、他の図で示される湾曲上部表面１５の代わりに、平坦な上部表面を備えるものとすることができる。
これにより、本発明によるパットインストラクターは、様々な操作状況を変更する調整可能構造を備える。
【００１３】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１４】
【図１】本発明によるパット練習器の透視図である。
【図２】前部、或いは後部から見たパット練習器の分解図である。
【図３】図２と反対の方向から見たパット練習器の分解図である。
【図４】標的素子が取り外されたパット練習器を示した説明図である。
【図５】パット練習器の部分断面図であって、パット練習器の調整操作を示した説明図である。
【図６】パット練習、或いは、パット練習器の操作を示す上視図である。
【図７】パット練習器のもう一つの操作状況を示す、図４と同様の説明図である。
【図８】パット練習、或いは、パット練習器の操作を示す部分拡大上視図である。
【図９】パット練習器の操作を示す他の説明図である。
【図１０】パット練習器の操作を示す他の説明図である。
【図１１】パット練習器の操作を示す他の説明図である。
【図１２】図１１で示されるパット練習器の分解図である。
【図１３】図１１及び図１２で示されるパット練習器の部分拡大上視図であって、パット練習器のもう一つの調整操作を示した説明図である。
【図１４】パット練習器のもう一つの操作状況を示した説明図である。
【図１５】パット練習器の更に他の操作状況を示した説明図である。
【符号の説明】
【００１５】
１０…レール
１１…インナーバー
１２…湾曲上表面
１３…目盛り
１４…外部突出部
１５…湾曲上表面
１６…目盛り
１７…嵌合孔
１８…凹部
１９…段部
２０…ブロック
２１…突起部
２２…インナーバー
２３…湾曲上表面
２４…目盛り
２５…外部突出部
２６…湾曲上表面
２７…目盛り
２８…凹部
２９…段部
３０…シート
３１…突起部
３２…インナーバー
３３…湾曲上表面
３４…目盛り
３５…外部突出部
３６…湾曲上表面
３７…目盛り
３８…凹部
３９…段部
４０…リンク
４１、４２…歯
４３…挿入孔
４５…ピン
４７…ケーブル
５０…標的素子
５１…ホール
５２…ランプ
５３…フラグ
７０…ゴルフクラブヘッド
７１…インパクト面
７３…ゴルフボール
７４、７５…末端
７７…ポインター
９０…ギャップ
【図１】
0003102818.tif 000003
【図２】
0003102818.tif 000004
【図３】
0003102818.tif 000005
【図４】
0003102818.tif 000006
【図５】
0003102818.tif 000007
【図６】
0003102818.tif 000008
【図７】
0003102818.tif 000009
【図８】
0003102818.tif 000010
【図９】
0003102818.tif 000011
【図１０】
0003102818.tif 000012
【図１１】
0003102818.tif 000013
【図１２】
0003102818.tif 000014
【図１３】
0003102818.tif 000015
【図１４】
0003102818.tif 000016
【図１５】
0003102818.tif 000017